(57)【要約】  本出願の実施例は、信号伝送方法及び装置、ネットワーク装置、端末機器を提供する。前記方法は、ネットワーク装置が、第１指示信号を端末機器に送信することを含み、前記第１指示信号が、端末機器が前記第１指示信号に関連しているサーチスペースでダウンリンク制御チャネルの監視を行うか否かを確定するためのものである。
2021536161.tif 000002
【特許請求の範囲】
【請求項１】
信号伝送方法であって、
ネットワーク装置が、第１指示信号を端末機器に送信することを含み、前記第１指示信号が、端末機器が前記第１指示信号に関連しているサーチスペースでダウンリンク制御チャネルの監視を行うか否かを確定するためのものである、信号伝送方法。
【請求項２】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項１に記載の方法。
【請求項３】
前記第１指示信号とサーチスペースとの関連関係は、時間領域で周期的に現れることを特徴とする
請求項１又は２に記載の方法。
【請求項４】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項３に記載の方法。
【請求項５】
前記第１指示信号とサーチスペースとの関連関係は、前記ネットワーク装置によって設定され、又は、
前記第１指示信号とサーチスペースとの関連関係は、予め定義されることを特徴とする
請求項１−４のいずれか一項に記載の方法。
【請求項６】
前記第１指示信号とサーチスペースとの関連関係が前記ネットワーク装置によって設定されるとした場合、前記方法はさらに、
前記ネットワーク装置が第１構成情報を前記端末機器に送信することであって、前記第１構成情報が前記第１指示信号とサーチスペースとの関連関係を含むことを含むことを特徴とする
請求項５に記載の方法。
【請求項７】
前記ネットワーク装置が第１構成情報を前記端末機器に送信することは、
前記ネットワーク装置が、無線リソース制御（ＲＲＣ）専用シグナリング又はシステムブロードキャストメッセージによって前記第１構成情報を前記端末機器に送信することを含むことを特徴とする
請求項６に記載の方法。
【請求項８】
前記第１指示信号に関連しているサーチスペースは、共通サーチスペース及び／又はＵＥ専用サーチスペースを含むことを特徴とする
請求項１−７のいずれか一項に記載の方法。
【請求項９】
信号伝送方法であって、
端末機器が第１指示信号とサーチスペースとの関連関係を確定することと、
前記端末機器がネットワーク装置から送信された第１指示信号を受信し、前記第１指示信号に基づき、前記第１指示信号に関連しているサーチスペースでダウンリンク制御チャネルの監視を行うか否かを確定することとを含む、信号伝送方法。
【請求項１０】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項９に記載の方法。
【請求項１１】
前記第１指示信号とサーチスペースとの関連関係は、時間領域で周期的に現れることを特徴とする
請求項９又は１０に記載の方法。
【請求項１２】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項１１に記載の方法。
【請求項１３】
前記第１指示信号とサーチスペースとの関連関係は、前記ネットワーク装置によって設定され、又は、
前記第１指示信号とサーチスペースとの関連関係は、予め定義されることを特徴とする
請求項９−１２のいずれか一項に記載の方法。
【請求項１４】
前記第１指示信号とサーチスペースとの関連関係が前記ネットワーク装置によって設定されるとした場合、前記方法はさらに、
前記端末機器が前記ネットワーク装置から送信された第１構成情報を受信することであって、前記第１構成情報が、前記第１指示信号とサーチスペースとの関連関係を含むことを含むことを特徴とする
請求項１３に記載の方法。
【請求項１５】
前記端末機器が前記ネットワーク装置から送信された第１構成情報を受信することは、
前記端末機器が、前記ネットワーク装置がＲＲＣ専用シグナリング又はシステムブロードキャストメッセージによって送信した前記第１構成情報を受信することを含むことを特徴とする
請求項１４に記載の方法。
【請求項１６】
前記第１指示信号に関連しているサーチスペースは、共通サーチスペース及び／又はＵＥ専用サーチスペースを含むことを特徴とする
請求項９−１５のいずれか一項に記載の方法。
【請求項１７】
信号伝送装置であって、
第１指示信号を端末機器に送信するように構成され、前記第１指示信号が、端末機器が前記第１指示信号に関連しているサーチスペースでダウンリンク制御チャネルの監視を行うか否かを確定するためのものである第１送信ユニットを備える、信号伝送装置。
【請求項１８】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項１７に記載の装置。
【請求項１９】
前記第１指示信号とサーチスペースとの関連関係は、時間領域で周期的に現れることを特徴とする
請求項１７又は１８に記載の装置。
【請求項２０】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項１９に記載の装置。
【請求項２１】
前記第１指示信号とサーチスペースとの関連関係は、前記ネットワーク装置によって設定され、又は、
前記第１指示信号とサーチスペースとの関連関係は、予め定義されることを特徴とする請求項１７−２０に記載の装置。
【請求項２２】
前記第１指示信号とサーチスペースとの関連関係が前記ネットワーク装置によって設定されるとした場合、前記装置はさらに、
第１構成情報を前記端末機器に送信するように構成される第２送信ユニットであって、前記第１構成情報が前記第１指示信号とサーチスペースとの関連関係を含む、第２送信ユニットを備えることを特徴とする
請求項２１に記載の装置。
【請求項２３】
前記第２送信ユニットは、ＲＲＣ専用シグナリング又はシステムブロードキャストメッセージによって前記第１構成情報を前記端末機器に送信するように構成されることを特徴とする
請求項２２に記載の装置。
【請求項２４】
前記第１指示信号に関連しているサーチスペースは、共通サーチスペース及び／又はＵＥ専用サーチスペースを含むことを特徴とする
請求項１７−２３に記載の装置。
【請求項２５】
信号伝送装置であって、
第１指示信号とサーチスペースとの関連関係を確定するように構成される確定ユニットと、
ネットワーク装置から送信された第１指示信号を受信し、前記第１指示信号に基づき、前記第１指示信号に関連しているサーチスペースでダウンリンク制御チャネルの監視を行うか否かを確定するように構成される第１受信ユニットとを備える、信号伝送装置。
【請求項２６】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項２５に記載の装置。
【請求項２７】
前記第１指示信号とサーチスペースとの関連関係は、時間領域で周期的に現れることを特徴とする
請求項２５又は２６に記載の装置。
【請求項２８】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項２７に記載の装置。
【請求項２９】
前記第１指示信号とサーチスペースとの関連関係は、前記ネットワーク装置によって設定され、又は、
前記第１指示信号とサーチスペースとの関連関係は、予め定義されることを特徴とする
請求項２５−２８のいずれか一項に記載の装置。
【請求項３０】
前記第１指示信号とサーチスペースとの関連関係が前記ネットワーク装置によって設定されるとした場合、前記装置はさらに、
前記ネットワーク装置から送信された第１構成情報を受信するように構成される第２受信ユニットであって、前記第１構成情報が、前記第１指示信号とサーチスペースとの関連関係を含む、第２受信ユニットを備えることを特徴とする
請求項２９に記載の装置。
【請求項３１】
前記第２受信ユニットは、前記ネットワーク装置がＲＲＣ専用シグナリング又はシステムブロードキャストメッセージによって送信した前記第１構成情報を受信するように構成されることを特徴とする
請求項３０に記載の装置。
【請求項３２】
前記第１指示信号に関連しているサーチスペースは、共通サーチスペース及び／又はＵＥ専用サーチスペースを含むことを特徴とする
請求項２５−３１のいずれか一項に記載の装置。
【請求項３３】
ネットワーク装置であって、
コンピュータプログラムを記憶するように構成されるメモリと、
前記メモリに記憶されたコンピュータプログラムを呼び出して実行し、請求項１−８のいずれか一項に記載の方法を実行するように構成されるプロセッサとを備える、ネットワーク装置。
【請求項３４】
端末機器であって、
コンピュータプログラムを記憶するように構成されるメモリと、
前記メモリに記憶されたコンピュータプログラムを呼び出して実行し、請求項９−１６のいずれか一項に記載の方法を実行するように構成されるプロセッサとを備える、端末機器。
【請求項３５】
チップであって、
メモリからコンピュータプログラムを呼び出して実行するように構成されるプロセッサを備え、これにより、前記チップが取り付けられた装置に、請求項１−８のいずれか一項に記載の方法を実行させる、チップ。
【請求項３６】
チップであって、
メモリからコンピュータプログラムを呼び出して実行するように構成されるプロセッサを備え、これにより、前記チップが取り付けられた装置に、請求項９−１６のいずれか一項に記載の方法を実行させる、チップ。
【請求項３７】
コンピュータに請求項１−８のいずれか一項に記載の方法を実行させるためのコンピュータプログラムを記憶することに用いられるコンピュータ可読記憶媒体。
【請求項３８】
コンピュータに請求項９−１６のいずれか一項に記載の方法を実行させるためのコンピュータプログラムを記憶することに用いられるコンピュータ可読記憶媒体。
【請求項３９】
コンピュータに請求項１−８のいずれか一項に記載の方法を実行させるためのコンピュータプログラム命令を含むコンピュータプログラム製品。
【請求項４０】
コンピュータに請求項９−１６のいずれか一項に記載の方法を実行させるためのコンピュータプログラム命令を含むコンピュータプログラム製品。
【請求項４１】
コンピュータに請求項１−８のいずれか一項に記載の方法を実行させるためのコンピュータプログラム。
【請求項４２】
コンピュータに請求項９−１６のいずれか一項に記載の方法を実行させるためのコンピュータプログラム。
【発明の詳細な説明】
【技術分野】
【０００１】
本出願の実施例は、移動通信技術分野に関し、具体的には信号伝送方法及び装置、ネットワーク装置、端末機器に関する。
【背景技術】
【０００２】
第５世代移動通信技術（５Ｇ：５ｔｈ  Ｇｅｎｅｒａｔｉｏｎ）の研究及び標準化により無線ブロードバンド移動通信のピークレートが高くなり、伝送帯域幅が広くなり、伝送遅延が小さくなる。例えば、５Ｇ端末機器の動作帯域幅は１００ＭＨｚから数百ＭＨｚであり、データ伝送レートはＧｂｐｓレベルであり、伝送遅延はｍｓレベルまで低下する。
【０００３】
しかし、それによって、端末機器に、実現及び具体的な使用上の問題を招き、例えば、広帯域の端末機器の無線周波数及び高速ベースバンド処理により、従来の無線通信システムに比べて端末機器の消費電力が増加する。これは、５Ｇ端末機器の待機時間及び使用時間に影響し、さらには端末機器のバッテリーの耐用年数にも影響する。
【０００４】
一方で、端末機器は、無線リソース制御（ＲＲＣ：Ｒａｄｉｏ  Ｒｅｓｏｕｒｃｅ  Ｃｏｎｔｒｏｌ）接続状態で、大量の消費電力が浪費される。例えば、端末機器は、ＲＲＣ接続状態で物理ダウンリンク制御チャネルサーチスペース（ＰＤＣＣＨ  ｓｅａｒｃｈ  ｓｐａｃｅ：Ｐｈｙｓｉｃａｌ  Ｄｏｗｎｌｉｎｋ  Ｃｏｎｔｒｏｌ  Ｃｈａｎｎｅｌ  ｓｅａｒｃｈ  ｓｐａｃｅ）の構成に基づき、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）サーチスペースを周期的に監視する必要があり、しかし、実際には、少量のＰＤＣＣＨ伝送スロットだけでネットワークが端末機器に対してスケジューリングし、残りの大量のスロットでは当該端末機器へのスケジューリングがなく、即ち当該端末機器へのＰＤＣＣＨの送信がない状態である。
【０００５】
そのため、どのように端末機器のＰＤＣＣＨ監視を最適化し、端末機器がＰＤＣＣＨを受信する過程での電力の浪費を減少するかは、解決すべきである。
【発明の概要】
【課題を解決するための手段】
【０００６】
本出願の実施例は、信号伝送方法及び装置、ネットワーク装置、端末機器を提供する。
【０００７】
本出願の実施例による信号伝送方法は、
ネットワーク装置が、第１指示信号を端末機器に送信することを含み、前記第１指示信号が、端末機器が前記第１指示信号に関連しているサーチスペースでダウンリンク制御チャネルの監視を行うか否かを確定するためのものである。
【０００８】
本出願の実施例による信号伝送方法は、
端末機器が第１指示信号とサーチスペースとの関連関係を確定することと、
前記端末機器がネットワーク装置から送信された第１指示信号を受信し、前記第１指示信号に基づき、前記第１指示信号に関連しているサーチスペースでダウンリンク制御チャネルの監視を行うか否かを確定することとを含む。
【０００９】
本出願の実施例による信号伝送装置は、
第１指示信号を端末機器に送信するように構成され、前記第１指示信号が、端末機器が前記第１指示信号に関連しているサーチスペースでダウンリンク制御チャネルの監視を行うか否かを確定するためのものである第１送信ユニットを備える。
【００１０】
本出願の実施例による信号伝送装置は、
第１指示信号とサーチスペースとの関連関係を確定するように構成される確定ユニットと、
ネットワーク装置から送信された第１指示信号を受信し、前記第１指示信号に基づき、前記第１指示信号に関連しているサーチスペースでダウンリンク制御チャネルの監視を行うか否かを確定するように構成される第１受信ユニットとを備える。
【００１１】
本出願の実施例によるネットワーク装置は、プロセッサとメモリとを備える。当該メモリは、コンピュータプログラムを記憶するように構成され、当該プロセッサは、当該メモリに記憶されたコンピュータプログラムを呼び出して実行し、上記の信号伝送方法を実行するように構成される。
【００１２】
本出願の実施例による端末機器は、プロセッサとメモリとを備える。当該メモリは、コンピュータプログラムを記憶するように構成され、当該プロセッサは、当該メモリに記憶されたコンピュータプログラムを呼び出して実行し、上記の信号伝送方法を実行するように構成される。
【００１３】
本出願の実施例によるチップは、上記の信号伝送方法を実現することに用いられる。
【００１４】
具体的には、当該チップは、メモリからコンピュータプログラムを呼び出して実行するように構成されるプロセッサを備え、これにより、当該チップが取り付けられた装置は、上記の信号伝送方法を実行する。
【００１５】
本出願の実施例によるコンピュータ可読記憶媒体は、コンピュータに上記の信号伝送方法を実行させるためのコンピュータプログラムを記憶することに用いられる。
【００１６】
本出願の実施例によるコンピュータプログラム製品は、コンピュータに上記の信号伝送方法を実行させるためのコンピュータプログラム命令を含む。
【００１７】
本出願の実施例によるコンピュータプログラムは、コンピュータで実行される場合、コンピュータに上記の信号伝送方法を実行させる。
【発明の効果】
【００１８】
上記の技術的解決策により、第１指示信号とサーチスペースに関連関係があるため、端末機器は、第１指示信号を受信した後、当該第１指示信号に関連しているサーチスペースでダウンリンク制御チャネルの監視を行うだけでよく、それによってＰＤＣＣＨ監視の電力消費が節約される。
【図面の簡単な説明】
【００１９】
【図１】本出願の実施例による通信システムアーキテクチャの概略図である。
【図２】本出願の実施例による信号伝送方法のフローチャート１である。
【図３】本出願の実施例による信号伝送方法のフローチャート２である。
【図４】本出願の実施例による省エネ信号が２つのＰＤＣＣＨサーチスペースに関連していることを示す図である。
【図５】本出願の実施例による省エネ信号が２つのＰＤＣＣＨサーチスペース周期に関連していることを示す図である。
【図６】本出願の実施例による省エネ信号が１つのＰＤＣＣＨサーチスペース周期に関連していることを示す図である。
【図７】本出願の実施例による省エネ信号が１つのＰＤＣＣＨスロットに関連していることを示す図である。
【図８】本出願の実施例による省エネ信号が２つのＰＤＣＣＨスロットに関連していることを示す図である。
【図９】本出願の実施例による省エネ信号が２つのＰＤＣＣＨ監視シンボルに関連していることを示す図である。
【図１０】本出願の実施例による信号伝送装置の構造構成図１である。
【図１１】本出願の実施例による信号伝送装置の構造構成図２である。
【図１２】本出願の実施例による通信装置の概略構造図である。
【図１３】本出願の実施例によるチップの概略構造図である。
【図１４】本出願の実施例による通信システムの概略ブロック図である。
【発明を実施するための形態】
【００２０】
ここで説明される図面は本出願をさらに理解するためのものであり、本出願の一部を構成し、本出願の例示的な実施例及びその説明は、本出願を解釈するためのものであり、本出願に対する不適切な限定を構成しない。
【００２１】
以下に本出願の実施例の図面を参照しながら本出願の実施例における技術的解決策を説明し、明らかに、説明される実施例は、本出願の実施例の一部だけであり、全ての実施例ではない。本出願の実施例に基づき、当業者が創造的な労力を要せずに得る他の実施例は、全て本出願の保護範囲に属する。
【００２２】
本出願の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステムなどに応用されてもよい。
【００２３】
例示的に、本出願の実施例に応用される通信システム１００は図１に示される。当該通信システム１００は、ネットワーク装置１１０を備えることができ、ネットワーク装置１１０は、端末機器１２０（又は通信端末、端末と呼ばれる）と通信することができる装置であってもよい。ネットワーク装置１１０は、特定の地理的エリアに対して通信カバレッジを提供することができ、そして当該カバレッジエリアに位置する端末機器と通信を行うことができる。選択可能に、当該ネットワーク装置１１０は、ＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は当該ネットワーク装置は、モバイル交換センター、中継局、アクセスポイント、車載デバイス、ウェアラブルデバイス、ハブ、スイッチ、ブリッジ、ルーター、５Ｇネットワークにおけるネットワーク側装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００２４】
当該通信システム１００は、さらにネットワーク装置１１０のカバレッジに位置する少なくとも一つの端末機器１２０を備える。ここで使用される「端末機器」として、公衆交換電話ネットワーク（ＰＳＴＮ：Ｐｕｂｌｉｃ  Ｓｗｉｔｃｈｅｄ  Ｔｅｔｅｎｄｅｄ  Ｔｅｅ  ｗｏｒｋｓ）、デジタル加入者回線（Ｄｉｇｉｔａｌ  Ｓｕｂｓｃｒｉｅｒ  Ｌｉｎｅ、ＤＳＬ）、デジタルケーブル、直接ケーブル等の有線回線を介して接続され、及び／又は別のデータ接続／ネットワークを介して接続される装置、及び／又は無線インタフェースを介し、例えばセルラネットワーク、無線ＬＡＮ（Ｗｉｒｅｌｅｓｓ  Ｌｏｃａｌ  Ａｒｅａ  Ｎｅｔｗｏｒｋ）、ＤＶＢ−Ｈネットワークのようなデジタルテレビネットワーク、衛星ネットワーク、ＡＭ−ＦＭ放送送信機に対する装置、及び／又は別の端末機器の通信信号を受信／送信するように設けられる装置、及び／又はモノのインターネット（ＩｏＴ：Ｉｎｔｅｒｎｅｔ  ｏｆ  Ｔｈｉｎｇｓ）装置を含むがこれらに限定されない。無線インタフェースを介して通信するように設けられる端末機器は、「無線通信端末」、「無線端末」又は「移動端末」と呼ばれてもよい。移動端末の例は、衛星電話又はセルラー電話、セルラー無線電話とデータ処理、ファクシミリ及びデータ通信機能を組み合わせることができるパーソナル通信システム（ＰＣＳ：Ｐｅｒｓｏｎａｌ  Ｃｏｍｍｕｎｉｃａｔｉｏｎｓ  Ｓｙｓｔｅｍ）端末と、無線電話、ページャー、インターネット／イントラネットアクセス、Ｗｅｂブラウザー、メモ帳、カレンダー及び／又は全地球測位システム（ＧＰＳ：Ｇｌｏｂａｌ  Ｐｏｓｉｔｉｏｎｉｎｇ  Ｓｙｓｔｅｍ）受信機を備えることができるＰＤＡと、従来のラップトップ及び／又はパームトップ受信機又は無線電話トランシーバーを含む他の電子装置を含むがこれらに限定されない。端末機器は、アクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒ
ｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、５Ｇネットワークにおける端末機器又は将来の進化したＰＬＭＮにおける端末機器などであってもよい。
【００２５】
選択可能に、端末機器１２０同士は端末直接接続（Ｄ２Ｄ：Ｄｅｖｉｃｅ  ｔｏ  Ｄｅｖｉｃｅ）通信を行うことができる。
【００２６】
選択可能に、５Ｇシステム又は５Ｇネットワークは新しい無線（ＮＲ：Ｎｅｗ  Ｒａｄｉｏ）システム又はＮＲネットワークとも呼ばれてもよい。
【００２７】
図１に一つのネットワーク装置と２つの端末機器が例示的に示され、選択可能に、当該通信システム１００は、複数のネットワーク装置を備えることができ、且つ各ネットワーク装置のカバレッジで別の数の端末機器を備えることができ、本出願の実施例でこれに限定されない。
【００２８】
選択可能に、当該通信システム１００はさらにネットワークコントローラ、移動管理エンティティなどのネットワークエンティティを備えることができ、本出願の実施例でこれに限定されない。
【００２９】
本出願の実施例ではネットワーク／システムにおける通信機能を備えた装置は通信装置と呼ばれてもよいことが理解すべきである。図１に示す通信システム１００を例とすると、通信装置は、通信機能を備えたネットワーク装置１１０と端末機器１２０とを備えることができ、ネットワーク装置１１０と端末機器１２０は、上記の具体的な装置であってもよく、ここで説明を省略する。通信装置はさらに通信システム１００における他の装置、例えばネットワークコントローラ、移動管理エンティティなどの他のネットワークエンティティを含むことができ、本出願の実施例でこれに限定されない。
【００３０】
本明細書で用語「システム」と「ネットワーク」は、常に本明細書で互換可能に使用される。本明細書では「及び／又は」用語は、関連するオブジェクトの関連関係を記述するためのものだけであり、３種類の関係が存在することができることを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００３１】
図２は本出願の実施例による信号伝送方法のフローチャート１である。図２に示すように、前記信号伝送方法は、以下のステップを含む。
【００３２】
ステップ２０１において、ネットワーク装置は、第１指示信号を端末機器に送信し、前記第１指示信号が、端末機器が前記第１指示信号に関連しているサーチスペースでダウンリンク制御チャネルの監視を行うか否かを確定するためのものである。
【００３３】
本出願の実施例では、前記ネットワーク装置は、基地局、例えば５ＧにおけるｇＮＢ、ＬＴＥにおけるｅＮＢなどである。
【００３４】
本出願の実施例では、前記端末機器は、携帯電話、タブレットコンピュータ、車載端末機器などのネットワークと通信できる任意の装置であってもよい。
【００３５】
本出願の実施例では、サーチスペースは、ダウンリンク制御チャネル（例えばＰＤＣＣＨ）の伝送に用いられ、サーチスペースの記述は、ＰＤＣＣＨサーチスペース（ｓｅａｒｃｈ  ｓｐａｃｅ）として記され、ＰＤＣＣＨサーチスペース（  ｓｅａｒｃｈ  ｓｐａｃｅ）の記述は、サーチスペースとして理解されてもよい。
【００３６】
端末機器のＰＤＣＣＨ監視は、ＰＤＣＣＨサーチスペースで行われる。ＰＤＣＣＨサーチスペースの構成情報は、一般的にＲＲＣシグナリングによってネットワーク装置から端末機器に通知され、ネットワーク装置は、１つ又は複数のＰＤＣＣＨサーチスペースの構成情報を端末機器に設定することができ、ここで、１つのサーチスペースの構成情報には、下記の情報が含まれ、
・ｓｅａｒｃｈ  ＩＤ：サーチスペースを示すための標識であり、
・ｃｏｎｔｒｏｌＲｅｓｏｕｒｃｅＳｅｔＩｄ：サーチスペースに関連している制御リソースセット（ｃｏｎｔｒｏｌ  ｒｅｓｏｕｒｃｅ  ｓｅｔ）の構成情報を示すためのＩＤであり、ＰＤＣＣＨ  ｓｅａｒｃｈ  ｓｐａｃｅの時間周波数リソースを構成するためのものであり、
・監視スロット（ｓｌｏｔ）周期及び周期内のオフセット：それに関しては、現在のＮＲにサポートされている周期は、１、２、４、５、８、１０、１６、２０、４０、８０、１６０、３２０、６４０、１２８０、２５６０個のスロットを含み、
・ｄｕｒａｔｉｏｎ：ＰＤＣＣＨ  ｓｅａｒｃｈ  ｓｐａｃｅ周期内で連続して監視するｓｌｏｔの数を示すためのものであり、
・ｍｏｎｉｔｏｒｉｎｇ  Ｓｙｍｂｏｌｓ  Ｗｉｔｈｉｎ  Ｓｌｏｔ：ＰＤＣＣＨ監視ｓｌｏｔ内のどのシンボルでＰＤＣＣＨ監視を行うかを示すためのものであり、
・ＰＤＣＣＨ  ｃａｎｄｉｄａｔｅｓ：ＰＤＣＣＨ  ｃａｎｄｉｄａｔｅの構成情報を示すためのものであり、
・ｓｅａｒｃｈ  ｓｐａｃｅタイプ：ＰＤＣＣＨ  ｓｅａｒｃｈ  ｓｐａｃｅが共通サーチスペース（ｃｏｍｍｏｎ  ｓｅａｒｃｈ  ｓｐａｃｅ）であるか、それともＵＥ固有のサーチスペース（ＵＥ−ｓｐｅｃｉｆｉｃ  ｓｐａｃｅ）であるかを示すためのものである。
【００３７】
本出願の実施例では、前記第１指示信号とサーチスペースとの関連関係は、前記ネットワーク装置によって設定され、又は、前記第１指示信号とサーチスペースとの関連関係は、予め定義される。前記第１指示信号とサーチスペースとの関連関係が前記ネットワーク装置によって設定されるとした場合、前記ネットワーク装置は、第１構成情報を前記端末機器に送信し、前記第１構成情報が前記第１指示信号とサーチスペースとの関連関係を含む。
【００３８】
ここで、第１指示信号も省エネ信号と呼ばれてもよく、ネットワーク装置は、省エネ信号とＰＤＣＣＨ  ｓｅａｒｃｈ  ｓｐａｃｅの間の関連関係を端末機器に送信し、ここで、関連関係がマッピング関係又は対応関係と呼ばれてもよい。
【００３９】
１つの実施例では、前記ネットワーク装置は、ＲＲＣ専用シグナリング又はシステムブロードキャストメッセージによって前記第１構成情報を前記端末機器に送信する。
【００４０】
本出願の実施例では、前記第１指示信号に関連しているサーチスペースは、共通サーチスペース及び／又はＵＥ専用サーチスペースを含む。
【００４１】
本出願の実施例では、前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係のうちの少なくとも１つを含む。さらに、前記第１指示信号は、時間において周期的に現れ、前記第１時間長の値は、前記第１指示信号の周期の値と同じである。
【００４２】
さらに、前記第１指示信号とサーチスペースとの関連関係は、時間領域で周期的に現れる。
【００４３】
例えば、サーチスペース１（ＳＳ１）は、時間において周期的に現れて第１サーチスペースセットを形成し、サーチスペース２（ＳＳ２）は、時間において周期的に現れて第２サーチスペースセットを形成し、ＳＳ１に対応する周期とＳＳ２が対応する周期は異なり、第１指示信号に関連しているサーチスペースには１つのＳＳ１と１つのＳＳ２が含まれる。第１指示信号の時間領域位置がｔ１であり、ＳＳ１の時間領域位置がｔ２であり、ＳＳ３の時間領域位置がｔ３であると仮定すると、ｔ１上の第１指示信号に関連しているサーチスペースは、ｔ２上のＳＳ１とｔ３上のＳＳ２であり、さらに、第１指示信号、ＳＳ１、ＳＳ２は、時間領域で周期的に現れる。
【００４４】
例えば、サーチスペース１（ＳＳ１）は、時間において周期的に現れて第１サーチスペースセットを形成し、第１指示信号に関連しているサーチスペースには２つのＳＳ１周期（即ち２つのＳＳ１）が含まれる。第１指示信号の時間領域位置がｔ１であり、１番目のＳＳ１の時間領域位置がｔ２であり、２番目のＳＳ１の時間領域位置がｔ３であると仮定すると、ｔ１上の第１指示信号に関連しているサーチスペースは、ｔ２上のＳＳ１とｔ３上のＳＳ１であり、さらに、第１指示信号、ＳＳ１、ＳＳ１は、時間領域で周期的に現れる。
【００４５】
例えば、サーチスペース１（ＳＳ１）は、周期的に現れて第１サーチスペースセットを形成し、第１指示信号に関連しているサーチスペースに、１つのＳＳ１周期においてＳＳ１が所在するスロット１とスロット２が含まれる。第１指示信号の時間領域位置がｔ１であり、スロット１の時間領域位置がｔ２であり、スロット２の時間領域位置がｔ３であると仮定すると、ｔ１上の第１指示信号に関連しているサーチスペースは、ｔ２上のスロット１とｔ３上のスロット２であり、さらに、第１指示信号、スロット１とスロット２は、時間領域で周期的に現れる。
【００４６】
例えば、サーチスペース１（ＳＳ１）は、時間において周期的に現れて第１サーチスペースセットを形成し、第１指示信号に関連しているサーチスペースには１つのＳＳ１周期においてＳＳ１が所在するスロット１内のＰＤＣＣＨ監視シンボル１が含まれる。第１指示信号の時間領域位置がｔ１であり、シンボル１の時間領域位置がｔ２であると仮定すると、ｔ１上の第１指示信号に関連しているサーチスペースは、ｔ２上のシンボル１であり、さらに、第１指示信号とシンボル１は、時間領域で周期的に現れる。
【００４７】
例えば、第１指示信号を伝送することができるリソースは、時間において周期的に現れ、第１指示信号に関連しているサーチスペースは、時間長がｓである第１時間窓に位置し、第１指示信号の所在する時間がｔ１であり、第１時間窓の時間領域範囲が［ｔ１＋ｋ、ｔ１＋ｋ＋ｓ］であり、ｋが０より大きいと仮定すると、ｔ１、ｋ及びｓの単位を統一する必要があり、当該単位が絶対時間単位（ｍｓ）であってもよいし、時間領域単位（例えばスロット、シンボル、ｓＴＴＩなど）であってもよいことに注意すべきである。同様に、次の周期の第１指示信号の所在する時間はｔ２であり、第１時間窓の時間領域範囲は［ｔ２＋ｋ、ｔ２＋ｋ＋ｓ］である。ここで、第１指示信号が時間的に現れる周期は、Ｔ＝ｔ２−ｔ１であり、ｓの値はＴの値と同じである。異なる周期に対応する第１時間窓は、部分的にオーバーラップしてもよいし、完全にオーバーラップしなくてもよい。
【００４８】
本出願の実施例では、時間領域における、前記第１指示信号とサーチスペースとの関連関係の開始時間は、前記ネットワーク装置によって設定され、又は、時間領域における前記第１指示信号とサーチスペースとの関連関係の開始時間は、予め定義される。
【００４９】
ここで、前記第１指示信号に関連しているサーチスペースは、１つの周期を形成し、時間領域で周期的に繰り返して現れ、時間領域で現れる１番目の周期の位置は、時間領域における前記第１指示信号とサーチスペースとの関連関係の開始時間である。
【００５０】
本出願の実施例では、第１指示信号とサーチスペースとの関連関係が既に確定されているため、即ち、どの位置で第１指示信号を送信することができるかについて確定されているため、ネットワーク装置は、第１指示信号を送信することができるこれらの位置のみで第１指示信号を前記端末機器に送信することができ、当然、ネットワーク装置は、第１指示信号を送信することができる位置で第１指示信号を送信しなくてもよい。よって、ネットワーク装置が第１指示信号を送信する時に、前記関連関係に基づいて前記第１指示信号を送信する必要がある。
【００５１】
例えば、関連関係に基づき、第１指示信号を送信することができる位置は、ｔ１、ｔ４、ｔ７、ｔ１０．．．であると確定されている場合、ネットワーク装置は、これらの位置で第１指示信号を送信するか否かを選択することができる。端末機器は、ネットワーク装置から送信された第１指示信号を受信した後、当該第１指示信号の指示に基づき、前記第１指示信号に関連しているサーチスペースでダウンリンク制御チャネルの監視を行うか否かを確定する。例えば、端末機器は、ネットワーク装置によって送信された第１指示信号を位置ｔ１で受信した場合、位置ｔ１の第１指示信号と位置ｔ２及び位置ｔ３のサーチスペースに関連関係があり、第１指示信号が第１指示信号に関連しているサーチスペースでダウンリンク制御チャネルの監視を行う必要があることを示すと仮定すると、端末機器は、位置ｔ２及び位置ｔ３でＰＤＣＣＨを監視し、第１指示信号が第１指示信号に関連しているサーチスペースでダウンリンク制御チャネルの監視を行う必要がないことを示すと仮定すると、端末機器は、位置ｔ２及び位置ｔ３でＰＤＣＣＨ監視を行わない。
【００５２】
本出願の実施例の技術的解決策では、端末機器は、第１指示信号とＰＤＣＣＨサーチスペースの間の関連関係を確定することができ、さらに、第１指示信号が１つ又は複数のＰＤＣＣＨサーチスペース、及び／又は、１つ又は複数のＰＤＣＣＨサーチスペース周期、及び／又は１つ又は複数のＰＤＣＣＨスロット、及び／又は１つ又は複数のＰＤＣＣＨシンボルに関連しているため、１つの第１指示信号が１つ又は複数のＰＤＣＣＨ監視位置に対応し、第１指示信号のオーバーヘッドの節約に役立ち、同時にＰＤＣＣＨの監視範囲が縮小され、端末の消費電力が節約される。
【００５３】
図３は本出願の実施例による信号伝送方法のフローチャート２である。図３に示すように、前記信号伝送方法は、以下のステップを含む。
【００５４】
３０１において、端末機器は、第１指示信号とサーチスペースとの関連関係を確定する。
【００５５】
本出願の実施例では、前記端末機器は、携帯電話、タブレットコンピュータ、車載端末機器などのネットワークと通信できる任意の装置であってもよい。
【００５６】
本出願の実施例では、前記ネットワーク装置は、基地局、例えば５ＧにおけるｇＮＢ、ＬＴＥにおけるｅＮＢなどである。
【００５７】
本出願の実施例では、サーチスペースは、ダウンリンク制御チャネル（例えばＰＤＣＣＨ）の伝送に用いられ、サーチスペースに関する記載は、ＰＤＣＣＨ  ｓｅａｒｃｈ  ｓｐａｃｅとして記してもよく、ＰＤＣＣＨ  ｓｅａｒｃｈ  ｓｐａｃｅに関する記載は、サーチスペースを指しているとして理解されてもよい。
【００５８】
端末機器のＰＤＣＣＨ監視は、ＰＤＣＣＨサーチスペースで行われる。ＰＤＣＣＨサーチスペースの構成情報は、一般的にＲＲＣシグナリングによってネットワーク装置から端末機器に通知され、ネットワーク装置は、１つ又は複数のＰＤＣＣＨサーチスペースの構成情報を端末機器に設定することができ、ここで、１つのサーチスペースの構成情報については上記ネットワーク装置側の説明を参照して理解することができる。
【００５９】
本出願の実施例では、前記第１指示信号とサーチスペースとの関連関係は、前記ネットワーク装置によって設定され、又は、前記第１指示信号とサーチスペースとの関連関係は、予め定義される。前記第１指示信号とサーチスペースとの関連関係が前記ネットワーク装置によって設定されるとした場合、前記端末機器は、前記ネットワーク装置から送信された第１構成情報を受信し、前記第１構成情報が、第１指示信号とサーチスペースとの関連関係を含む。
【００６０】
ここで、第１指示信号も省エネ信号と呼ばれてもよく、ネットワーク装置は、省エネ信号とＰＤＣＣＨサーチスペースの間の関連関係を端末機器に送信し、ここで、関連関係がマッピング関係又は対応関係と呼ばれてもよい。
【００６１】
１つの実施例では、前記端末機器は、前記ネットワーク装置がＲＲＣ専用シグナリング又はシステムブロードキャストメッセージによって送信した前記第１構成情報を受信する。
【００６２】
本出願の実施例では、前記第１指示信号に関連しているサーチスペースは、共通サーチスペース及び／又はＵＥ専用サーチスペースを含む。
【００６３】
本出願の実施例では、前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係のうちの少なくとも１つを含む。さらに、前記第１指示信号は、時間において周期的に現れ、前記第１時間長の値は、前記第１指示信号の周期の値と同じである。
【００６４】
さらに、前記第１指示信号とサーチスペースとの関連関係は、時間領域で周期的に現れる。
【００６５】
例えば、サーチスペース１（ＳＳ１）は、時間において周期的に現れて第１サーチスペースセットを形成し、サーチスペース２（ＳＳ２）は、時間において周期的に現れて第２サーチスペースセットを形成し、ＳＳ１に対応する周期とＳＳ２に対応する周期は異なり、第１指示信号に関連しているサーチスペースには１つのＳＳ１と１つのＳＳ２が含まれる。第１指示信号の時間領域位置がｔ１であり、ＳＳ１の時間領域位置がｔ２であり、ＳＳ３の時間領域位置がｔ３であると仮定すると、ｔ１上の第１指示信号に関連しているサーチスペースは、ｔ２上のＳＳ１とｔ３上のＳＳ２であり、さらに、第１指示信号、ＳＳ１、ＳＳ２は、時間領域で周期的に現れる。
【００６６】
例えば、サーチスペース１（ＳＳ１）は、時間において周期的に現れて第１サーチスペースセットを形成し、第１指示信号に関連しているサーチスペースには２つのＳＳ１（即ち２つのＳＳ１）が含まれる。第１指示信号の時間領域位置がｔ１であり、１番目のＳＳ１の時間領域位置がｔ２であり、２番目のＳＳ１の時間領域位置がｔ３であると仮定すると、ｔ１上の第１指示信号に関連しているサーチスペースは、ｔ２上のＳＳ１とｔ３上のＳＳ１であり、さらに、第１指示信号、ＳＳ１、ＳＳ１は、時間領域で周期的に現れる。
【００６７】
例えば、サーチスペース１（ＳＳ１）は、時間において周期的に現れて第１サーチスペースセットを形成し、第１指示信号に関連しているサーチスペースには１つのＳＳ１周期においてＳＳ１が所在するスロット１とスロット２が含まれる。第１指示信号の時間領域位置がｔ１であり、スロット１の時間領域位置がｔ２であり、スロット２の時間領域位置がｔ３であると仮定すると、ｔ１上の第１指示信号に関連しているサーチスペースは、ｔ２上のスロット１とｔ３上のスロット２であり、さらに、第１指示信号、スロット１とスロット２は、時間領域で周期的に現れる。
【００６８】
例えば、サーチスペース１（ＳＳ１）は、時間において周期的に現れて第１サーチスペースセットを形成し、第１指示信号に関連しているサーチスペースには１つのＳＳ１周期においてＳＳ１が所在するスロット１内のＰＤＣＣＨ監視シンボル１が含まれる。第１指示信号の時間領域位置がｔ１であり、シンボル１の時間領域位置がｔ２であると仮定すると、ｔ１上の第１指示信号に関連しているサーチスペースは、ｔ２上のシンボル１であり、さらに、第１指示信号とシンボル１は、時間領域で周期的に現れる。
【００６９】
例えば、第１指示信号を伝送することができるリソースは、時間において周期的に現れ、第１指示信号に関連しているサーチスペースは、時間長ｓの第１時間窓に位置し、第１指示信号の所在する時間がｔ１であり、第１時間窓の時間領域範囲が［ｔ１＋ｋ、ｔ１＋ｋ＋ｓ］であり、ｋが０より大きいと仮定すると、ｔ１、ｋ、ｓの単位を統一する必要があり、当該単位が絶対時間単位（例えばｍｓ）であってもよいし、時間領域単位（例えばスロット、シンボル、ｓＴＴＩなど）であってもよいことに注意すべきである。同様に、次の周期の第１指示信号の所在する時間はｔ２であり、第１時間窓の時間領域範囲は［ｔ２＋ｋ、ｔ２＋ｋ＋ｓ］である。ここで、第１指示信号が時間的に現れる周期は、Ｔ＝ｔ２−ｔ１であり、ｓの値はＴの値と同じである。異なる周期に対応する第１時間窓は、部分的にオーバーラップしてもよいし、完全にオーバーラップしなくてもよいことが理解すべきである。
【００７０】
本出願の実施例では、時間領域における、前記第１指示信号とサーチスペースとの関連関係の開始時間は、前記ネットワーク装置によって設定され、又は、時間領域における前記第１指示信号とサーチスペースとの関連関係の開始時間は、予め定義される。
【００７１】
ここで、前記第１指示信号に関連しているサーチスペースは、１つの周期を形成し、時間領域で周期的に繰り返して現れ、時間領域で現れる１番目の周期の位置は、時間領域における前記第１指示信号とサーチスペースとの関連関係の開始時間である。
【００７２】
ステップ３０２において、前記端末機器は、ネットワーク装置から送信された第１指示信号を受信し、前記第１指示信号に基づき、前記第１指示信号に関連しているサーチスペースでダウンリンク制御チャネルの監視を行うか否かを確定する。
【００７３】
本出願の実施例では、第１指示信号とサーチスペースとの関連関係が確定されるため、つまり、どの位置で第１指示信号を送信することができるかが確定されるため、ネットワーク装置は、第１指示信号を送信することができるこれらの位置のみで第１指示信号を前記端末機器に送信することができ、当然、ネットワーク装置は、第１指示信号を送信することができる位置で第１指示信号を送信しなくてもよい。これにより、ネットワーク装置が第１指示信号を送信する場合、前記関連関係に基づいて前記第１指示信号を送信する必要があることがわかる。
【００７４】
端末機器は、ネットワーク装置から送信された第１指示信号を受信した後、当該第１指示信号の指示に基づき、前記第１指示信号に関連しているサーチスペースでダウンリンク制御チャネルの監視を行うか否かを確定する。例えば、端末機器は、ネットワーク装置によって送信された第１指示信号を位置ｔ１で受信し、位置ｔ１の第１指示信号と位置ｔ２及び位置ｔ３のサーチスペースに関連関係があり、第１指示信号が第１指示信号に関連しているサーチスペースでダウンリンク制御チャネルの監視を行う必要があることを示すと仮定すると、端末機器は、位置ｔ２及び位置ｔ３でＰＤＣＣＨ監視を行い、第１指示信号が第１指示信号に関連しているサーチスペースでダウンリンク制御チャネルの監視を行う必要がないことを示すと仮定すると、端末機器は、位置ｔ２及び位置ｔ３でＰＤＣＣＨ監視を行わない。
【００７５】
本出願の実施例の技術的解決策では、端末機器は、第１指示信号とＰＤＣＣＨサーチスペースの間の関連関係を確定することができ、さらに、第１指示信号が１つ又は複数のＰＤＣＣＨサーチスペース、及び／又は、１つ又は複数のＰＤＣＣＨサーチスペース周期、及び／又は１つ又は複数のＰＤＣＣＨスロット、及び／又は１つ又は複数のＰＤＣＣＨシンボルに関連しているため、１つの第１指示信号が１つ以上のＰＤＣＣＨ監視位置に対応し、第１指示信号のオーバーヘッドの節約に役立ち、同時にＰＤＣＣＨの監視範囲が縮小され、端末の消費電力が節約される。
【００７６】
以下に具体的な適用例を参照しながら本出願の実施例の技術的解決策を説明する。以下の実施例では、第１指示信号は、省エネ信号と呼ばれ、サーチスペースは、ＰＤＣＣＨサーチスペースと呼ばれる。
【００７７】
応用例１：省エネ信号と１つ又は複数のＰＤＣＣＨサーチスペースの間の関連関係
１つの省エネ信号は、１つのＰＤＣＣＨサーチスペースに関連してもよいし、複数のＰＤＣＣＨサーチスペースに関連してもよい。図４を参照すると、省エネ信号は、ＰＤＣＣＨサーチスペース１とＰＤＣＣＨサーチスペース２という２つのＰＤＣＣＨサーチスペースに関連しており、図から、周期的に送信される省エネ信号は、周期的に現れる２つのＰＤＣＣＨサーチスペース１とＰＤＣＣＨサーチスペース２に同時に関連しており、ここで、ＰＤＣＣＨサーチスペース２の時間周期がＰＤＣＣＨサーチスペース１の時間周期の２倍である。
【００７８】
応用例２：省エネ信号と１つ又は複数のＰＤＣＣＨサーチスペース周期の間の関連関係
１つの省エネ信号は、１つのＰＤＣＣＨサーチスペース周期に関連してもよいし、複数のＰＤＣＣＨサーチスペース周期に関連してもよい。図５を参照すると、省エネ信号は、２つのＰＤＣＣＨサーチスペース周期に関連している。図６を参照すると、省エネ信号は、１つのＰＤＣＣＨサーチスペース周期に関連している。
【００７９】
応用例３：省エネ信号とＰＤＣＣＨサーチスペースに占有されたスロット（ＰＤＣＣＨスロットと呼ばれる）の間の関連関係
１つの省エネ信号は、１つのＰＤＣＣＨスロットに関連してもよいし、複数のＰＤＣＣＨスロットに関連してもよい。図７を参照すると、省エネ信号は、１つのＰＤＣＣＨスロットに関連している。図８を参照すると、省エネ信号は、２つのＰＤＣＣＨスロットに関連している。
【００８０】
応用例４：省エネ信号とＰＤＣＣＨサーチスペースに占有されたスロット内のＰＤＣＣＨ監視シンボル位置の間の関連関係
省エネ信号は、ＰＤＣＣＨサーチスペースに占有されたスロット内の１つのＰＤＣＣＨ監視シンボル位置に関連してもよいし、複数のＰＤＣＣＨ監視シンボル位置に関連してもよい。図９を参照すると、省エネ信号は、２つのＰＤＣＣＨ監視シンボル位置（シンボル０、シンボル７）に関連している。
【００８１】
応用例５：省エネ信号とＰＤＣＣＨサーチスペースの間の間関連関係は、上記の応用例１−応用例４のいずれか２つ以上を組み合わせることで実現されてもよい。
【００８２】
例えば、省エネ信号は、ＰＤＣＣＨサーチスペース１とＰＤＣＣＨサーチスペース２という２つのＰＤＣＣＨサーチスペースに関連し、ここで、省エネ信号は、ＰＤＣＣＨサーチスペース１の２つのＰＤＣＣＨサーチスペース周期に関連し、且つＰＤＣＣＨサーチスペース２の１つのＰＤＣＣＨサーチスペース周期に関連している。
【００８３】
また、例えば、省エネ信号は、ＰＤＣＣＨサーチスペース１とＰＤＣＣＨサーチスペース２という２つのＰＤＣＣＨサーチスペースに関連し、ここで、省エネ信号は、ＰＤＣＣＨサーチスペース１の２つのＰＤＣＣＨサーチスペース周期に関連し、且つＰＤＣＣＨサーチスペース２の２つのＰＤＣＣＨスロットに関連している。
【００８４】
また、例えば、省エネ信号は、ＰＤＣＣＨサーチスペース１、ＰＤＣＣＨサーチＰＤＣＣＨサーチスペース２、ＰＤＣＣＨサーチスペース３という３つのＰＤＣＣＨサーチスペースに関連し、ここで、省エネ信号は、ＰＤＣＣＨサーチスペース１の２つのＰＤＣＣＨサーチスペース周期に関連し、且つＰＤＣＣＨサーチスペース２の１つのＰＤＣＣＨスロットに関連し、且つＰＤＣＣＨサーチスペース３の２つのＰＤＣＣＨ監視シンボルに関連している。
【００８５】
応用例６：省エネ信号と第１時間窓内のＰＤＣＣＨサーチスペースの間の関連関係
例えば、第１指示信号を伝送することができるリソースは、時間において周期的に現れ、第１指示信号に関連しているサーチスペースは、時間長ｓの第１時間窓に位置し、第１指示信号の所在する時間がｔ１であり、第１時間窓の時間領域範囲が［ｔ１＋ｋ、ｔ１＋ｋ＋ｓ］であり、ここで、ｋが０より大きいと仮定すると、ｔ１、ｋ及びｓの単位を統一する必要があり、当該単位が絶対時間単位（例えばｍｓ）であってもよいし、時間領域単位（例えばスロット、シンボル、ｓＴＴＩなど）であってもよいことに注意すべきである。同様に、次の周期の第１指示信号の所在する時間がｔ２であり、第１時間窓の時間領域範囲が［ｔ２＋ｋ、ｔ２＋ｋ＋ｓ］である。ここで、第１指示信号が時間的に現れる周期は、Ｔ＝ｔ２−ｔ１であり、ｓの値はＴの値と同じである。異なる周期に対応する第１時間窓は、部分的にオーバーラップしてもよいし、完全にオーバーラップしなくてもよい。
【００８６】
第１指示信号の周期が１０ｍｓであると仮定すると、第１指示信号に関連しているサーチスペースは、時間長１０ｍｓの第１時間窓に位置し、第１周期における第１指示信号が位置する時間は、スロット０であり、第１時間窓の時間領域範囲は、スロット［１、１１］であり、第２周期における第１指示信号が位置する時間は、スロット１０であり、第１時間窓の時間領域範囲は、［１１、２１］であり、順次類推する。
【００８７】
応用例７：関連するＰＤＣＣＨサーチスペースでのＵＥの監視動作
省エネ信号の機能がオンになる場合、ＵＥは、省エネ信号からの指示を受信し、当該指示の作用範囲が当該省エネ信号に関連しているＰＤＣＣＨサーチスペースであり、具体的には、ＵＥが省エネ信号の指示に基づいてＰＤＣＣＨを監視する必要がある場合、ＵＥは、当該省エネ信号に関連しているＰＤＣＣＨサーチスペースでＰＤＣＣＨ監視を行い、ＵＥが省エネ信号の指示に基づいてＰＤＣＣＨを監視する必要がない場合、ＵＥは、当該省エネ信号に関連しているＰＤＣＣＨサーチスペースでＰＤＣＣＨ監視を行わない。
【００８８】
省エネ信号機能がオフになる場合、ネットワークが省エネ信号とＰＤＣＣＨサーチスペースの間の関連関係を設定した場合でも、ＵＥは、当該関連関係を無視し、通常はＰＤＣＣＨサーチスペースの構成に従ってＰＤＣＣＨ監視を行う。
【００８９】
図１０は本出願の実施例の信号伝送装置の構造構成図１である。図１０に示すように、前記信号伝送装置は、
第１指示信号を端末機器に送信するように構成され、前記第１指示信号が、端末機器が前記第１指示信号に関連しているサーチスペースでダウンリンク制御チャネルの監視を行うか否かを確定するためのものである第１送信ユニット１００１を備える。
【００９０】
一実施形態では、前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係のうちの少なくとも１つを含む。さらに、前記第１指示信号は、時間において周期的に現れ、前記第１時間長の値は、前記第１指示信号の周期の値と同じである。
【００９１】
一実施形態では、前記第１指示信号とサーチスペースとの関連関係は、時間領域で周期的に現れる。
【００９２】
一実施形態では、時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義される。
【００９３】
一実施例では、前記第１指示信号とサーチスペースとの関連関係は、前記ネットワーク装置によって設定され、又は、
前記第１指示信号とサーチスペースとの関連関係は、予め定義される。
【００９４】
前記第１指示信号とサーチスペースとの関連関係が前記ネットワーク装置によって設定されるとした場合、前記装置はさらに、
第１構成情報を前記端末機器に送信するように構成される第２送信ユニット１００２であって、前記第１構成情報が前記第１指示信号とサーチスペースとの関連関係を含む第２送信ユニット１００２を備える。
【００９５】
一の実施形態では、前記第２送信ユニット１００２は、ＲＲＣ専用シグナリング又はシステムブロードキャストメッセージによって前記第１構成情報を端末機器に送信するように構成される。
【００９６】
一実施形態では、前記第１指示信号に関連しているサーチスペースは、共通サーチスペース及び／又はＵＥ専用サーチスペースを含む。
【００９７】
当業者は、本出願の実施例における上記信号伝送装置の関連説明について本出願の実施例における信号伝送方法の関連説明を参照して理解することができることを理解するべきである。
【００９８】
図１１は本出願の実施例の信号伝送装置の構造構成図２である。図１１に示すように、前記信号伝送装置は、
第１指示信号とサーチスペースとの関連関係を確定するように構成される確定ユニット１１０１と、
ネットワーク装置から送信された第１指示信号を受信し、前記第１指示信号に基づき、前記第１指示信号に関連しているサーチスペースでダウンリンク制御チャネルの監視を行うか否かを確定するように構成される第１受信ユニット１１０２とを備える。
【００９９】
一実施形態では、前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係のうちの少なくとも１つを含む。さらに、前記第１指示信号は、時間において周期的に現れ、前記第１時間長の値は、前記第１指示信号の周期の値と同じである。
【０１００】
一実施形態では、前記第１指示信号とサーチスペースとの関連関係は、時間領域で周期的に現れる。
【０１０１】
一実施形態では、時間領域における前記第１指示信号とサーチスペースとの関連関係の開始時間は、前記ネットワーク装置によって設定され、又は、
時間領域における前記第１指示信号とサーチスペースとの関連関係は、予め定義される。
【０１０２】
一実施形態では、前記第１指示信号とサーチスペースとの関連関係は、前記ネットワーク装置によって設定され、又は、
前記第１指示信号とサーチスペースとの関連関係は、予め定義される。
【０１０３】
一実施形態では、前記第１指示信号とサーチスペースとの関連関係が前記ネットワーク装置によって設定されるとした場合、前記装置はさらに、
前記ネットワーク装置から送信された第１構成情報を受信するように構成される第２受信ユニット１１０３であって、前記第１構成情報が、第１指示信号とサーチスペースとの関連関係を含む第２受信ユニット１１０３を備える。
【０１０４】
一実施形態では、前記第２受信ユニット１１０３は、前記ネットワーク装置がＲＲＣ専用シグナリング又はシステムブロードキャストメッセージによって送信した前記第１構成情報を受信するように構成される。
【０１０５】
一実施形態では、前記第１指示信号に関連しているサーチスペースは、共通サーチスペース及び／又はＵＥ専用サーチスペースを含む。
【０１０６】
当業者は、本出願の実施例における上記信号伝送装置の関連説明について本出願の実施例における信号伝送方法の関連説明を参照して理解することができることを理解するべきである。
【０１０７】
図１２は本出願の実施例による通信装置６００の概略構造図である。当該通信装置は端末機器であってもよいし、ネットワーク装置であってもよく、図１２に示す通信装置６００は、プロセッサ６１０を備え、プロセッサ６１０がメモリからコンピュータプログラムを呼び出して実行し、本出願の実施例における方法を実現することができる。
【０１０８】
選択可能に、図１２に示すように、通信装置６００はさらにメモリ６２０を備えることができる。ここで、プロセッサ６１０は、メモリ６２０からコンピュータプログラムを呼び出して実行し、本出願の実施例における方法を実現することができる。
【０１０９】
ここで、メモリ６２０は、プロセッサ６１０から独立した別個のデバイスであってもよいし、プロセッサ６１０に統合されてもよい。
【０１１０】
選択可能に、図１２に示すように、通信装置６００はさらに送受信機６３０を備えることができ、プロセッサ６１０が他の装置と通信すように該送受信機６３０を制御することができ、具体的には、他の装置へ情報又はデータを送信し、又は他の装置から送信された情報又はデータを受信することができる。
【０１１１】
ここで、送受信機６３０は、送信機と受信機を含むことができる。送受信機６３０はさらにアンテナを含むことができ、アンテナの数が一つ又は複数であってもよい。
【０１１２】
選択可能に、当該通信装置６００は具体的には本出願の実施例のネットワーク装置であってもよく、そして当該通信装置６００は、本出願の実施例の各方法におけるネットワーク装置によって実現される対応プロセスを実現することができ、簡潔にするために、ここでは説明を省略する。
【０１１３】
選択可能に、当該通信装置６００は、具体的には本出願の実施例の移動端末機器／端末機器であってもよく、そして当該通信装置６００は、本出願の実施例の各方法における移動端末機器／端末機器によって実現される対応プロセスを実現することができ、簡潔にするために、ここでは説明を省略する。
【０１１４】
図１３は本出願の実施例によるチップの概略構造図である。図１３に示されるチップ７００は、プロセッサ７１０を備え、プロセッサ７１０がメモリからコンピュータプログラムを呼び出して実行し、本出願の実施例における方法を実現することができる。
【０１１５】
選択可能に、図１３に示すように、チップ７００は、さらにメモリ７２０を備えることができる。ここで、プロセッサ７１０は、メモリ７２０からコンピュータプログラムを呼び出して実行し、本出願の実施例における方法を実現することができる。
【０１１６】
ここで、メモリ７２０は、プロセッサ７１０から独立した別個のデバイスであってもよいし、プロセッサ７１０に統合されてもよい。
【０１１７】
選択可能に、該チップ７００は、さらに入力インタフェース７３０を備えることができる。ここで、プロセッサ７１０は、他の装置又はチップと通信するように当該入力インタフェース７３０を制御することができ、具体的には、他の装置又はチップから送信された情報又はデータを取得することができる。
【０１１８】
選択可能に、当該チップ７００はさらに出力インタフェース７４０を備えることができる。ここで、プロセッサ７１０は、他の装置又はチップと通信するように当該出力インタフェース７４０を制御することができ、具体的には、他の装置又はチップへ情報又はデータを出力することができる。
【０１１９】
選択可能に、当該チップは、本出願の実施例におけるネットワーク装置に応用されてもよく、そして該チップは、本出願の実施例の各方法におけるネットワーク装置によって実現される対応プロセスを実現することができ、簡潔にするために、ここでは説明を省略する。
【０１２０】
選択可能に、当該チップは、本出願の実施例における移動端末／端末機器に応用されてもよく、そして当該チップは、本出願の実施例の各方法における移動端末／端末機器によって実現される対応プロセスを実現することができ、簡潔にするために、ここでは説明を省略する。
【０１２１】
本出願の実施例に言及されるチップは、さらにシステムレベルチップ、システムチップ、チップシステム又はシステムオンチップなどとも呼ばれてもよいことが理解すべきである。
【０１２２】
図１４は本出願の実施例による通信システム９００の概略ブロック図である。図９に示すように、当該通信システム９００は端末機器９１０とネットワーク装置９２０を備える。
【０１２３】
ここで、当該端末機器９１０は、上記方法における端末機器によって実現される、対応する機能を実現することに用いられてもよく、当該ネットワーク装置９２０は、上記方法におけるネットワーク装置によって実現される、対応する機能を実現することに用いられてもよく、ここでは説明を省略する。
【０１２４】
本出願の実施例におけるプロセッサは、信号処理機能を有する集積回路チップであり得ることが理解すべきである。実現プロセスでは、上記方法の実施例における各ステップは、プロセッサ内のハードウェアの集積論理回路又はソフトウェアの形の命令によって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェアコンポーネントであってもよい。本出願の実施例で開示される各方法、ステップ及び論理ブロック図を実現又は実行することができる。汎用プロセッサは、マイクロプロセッサであってもよく、又は該プロセッサはいずれかの従来のプロセッサなどであってもよい。本出願の実施例と組み合わせて開示された方法のステップは、ハードウェアデコードプロセッサによって実行されて完了され、又はデコードプロセッサにおけるハードウェア及びソフトウェアモジュールの組み合わせで実行されて完了されるように直接具現化されてもよい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。当該記憶媒体は、メモリに位置し、プロセッサは、メモリにおける情報を読み取り、そのハードウェアと組み合わせて上記方法のステップを完了する。
【０１２５】
本出願の実施例におけるメモリは、揮発性記憶装置又は不揮発性記憶装置であってもよく、又は揮発性記憶装置及び不揮発性記憶装置の両方を含むことができることが理解できる。ここで、不揮発性記憶装置は、読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は、外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。本明細書に記載のシステムと方法のメモリはこれらといずれかの他の適切なタイプのメモリを含むことを図るがこれらに限定されないことに注意すべきである。
【０１２６】
上記メモリは、例示的なものであるが、限定的に説明されたものではなく、例えば、本出願の実施例におけるメモリはさらにスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）などであってもよい。即ち、本出願の実施例におけるメモリは、これらと任意の他の適切なタイプのメモリを含むことを図るがこれらに限定されない。
【０１２７】
本出願の実施例はさらにコンピュータプログラムを記憶するためのコンピュータ可読記憶媒体を提供する。
【０１２８】
選択可能に、当該コンピュータ可読記憶媒体は、本出願の実施例におけるネットワーク装置に応用されてもよく、そして当該コンピュータプログラムにより、コンピュータが本出願の実施例の各方法におけるネットワーク装置によって実現される、対応するプロセスを実行し、簡潔にするために、ここでは説明を省略する。
【０１２９】
選択可能に、当該コンピュータ可読記憶媒体は、本出願の実施例における移動端末／端末機器に応用されてもよく、そして当該コンピュータプログラムにより、コンピュータが本出願の実施例の各方法における移動端末／端末機器によって実現される、対応するプロセスを実行し、簡潔にするために、ここでは説明を省略する。
【０１３０】
本出願の実施例は、さらにコンピュータプログラム命令を含むコンピュータプログラム製品を提供する。
【０１３１】
選択可能に、当該コンピュータプログラム製品は、本出願の実施例におけるネットワーク装置に応用されてもよく、そして当該コンピュータプログラム命令により、コンピュータが本出願の実施例における各方法のネットワーク装置によって実現される、対応するプロセスを実行し、簡潔にするために、ここでは説明を省略する。
【０１３２】
選択可能に、当該コンピュータプログラム製品は、本出願の実施例における移動端末／端末機器に応用されてもよく、そして当該コンピュータプログラム命令により、コンピュータが本出願の実施例における各方法の移動端末／端末機器によって実現される、対応するプロセスを実行し、簡潔にするために、ここでは説明を省略する。
【０１３３】
本出願の実施例は、さらにコンピュータプログラムを提供する。
【０１３４】
選択可能に、当該コンピュータプログラムは、本出願の実施例におけるネットワーク装置に応用されてもよく、当該該コンピュータプログラムがコンピュータで実行される場合、コンピュータが本出願の実施例における各方法のネットワーク装置によって実現される、対応するプロセスを実行し、簡潔にするために、ここでは説明を省略する。
【０１３５】
選択可能に、当該コンピュータプログラムは、本出願の実施例における移動端末／端末機器に応用されてもよく、そして当該コンピュータプログラムがコンピュータで実行される場合、コンピュータが本出願の実施例における各方法の移動端末／端末機器によって実現される、対応するプロセスを実行し、簡潔にするために、ここでは説明を省略する。
【０１３６】
当業者は、本明細書で開示される実施例と組み合わせて説明された各例のユニット及びアルゴリズムステップが電子ハードウェア、又はコンピュータソフトウェアと電子ハードウェアの組み合わせで実現されてもいよいことを理解できる。これらの機能がハードウェア又はソフトウェアで実行されるかは、技術的解決策の特定アプリケーションと設計制約条件に依存する。当業者は、各特定のアプリケーションに対して異なる方法を用いて記述される機能を実現することができるが、このような実現は本出願の範囲を超えると考えられるべきではない。
【０１３７】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３８】
本出願で提供されるいくつかの実施例では、開示されるシステム、装置及び方法は、他の方式により実現されてもよいことが理解すべきである。例えば、上記の装置の実施例は例示的なものだけであり、例えば、前記ユニットの区分は、論理機能的区分だけであり、実際に実施する時に他の区分方式もあり得て、例えば複数のユニット又はコンポーネントは、組み合わせられてもよく又は別のシステムに統合されてもよく、又はいくつかの特徴は無視されてもよく、又は実行されなくてもよい。また、示されるか、又は議論される相互結合又は直接結合又は通信接続はいくつかのインターフェース、装置又はユニットを介する間接的結合又は通信接続であってもよく、電気的、機械的又は他の形態であってもよい。
【０１３９】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１４０】
また、本出願の各実施例における各機能ユニットは、一つの処理ユニットに統合されてもよく、個々のユニットは、単独で物理的に存在してもよく、２つ又は２つ以上のユニットは一つのユニットに統合されてもよい。
【０１４１】
前記機能はソフトウェア機能ユニットの形態で実現され且つ独立した製品として販売又は使用される時に、一つのコンピュータ可読記憶媒体に格納されてもよい。このような理解に基づき、本出願の技術的解決策は、本質的に又は従来技術に寄与する部分又は当該技術的解決策の部分がソフトウェア製品の形で具体化してもよく、当該コンピュータソフトウェア製品が１つの記憶媒体に記憶され、コンピュータ装置（パーソナルコンピュータ、サーバ、又はネットワーク装置等であってもよい）に本出願の様々な実施例に記載された方法の全て又は一部のステップを実行させるためのいくつかの命令を含む。前記憶媒体は、ＵＳＢフラッシュディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４２】
以上は、本出願の実施例の具体的な実施形態だけであるが、本出願の保護範囲はこれに限定されず、当業者が本出願で開示された技術的範囲内で容易に想到し得る変化又は入れ替わりが全て本出願の保護範囲以内に含まれるべきである。従って、本出願の保護範囲は前記請求項の保護範囲に準拠するべきである。
【図１】
2021536161.tif 000003
【図２】
2021536161.tif 000004
【図３】
2021536161.tif 000005
【図４】
2021536161.tif 000006
【図５】
2021536161.tif 000007
【図６】
2021536161.tif 000008
【図７】
2021536161.tif 000009
【図８】
2021536161.tif 000010
【図９】
2021536161.tif 000011
【図１０】
2021536161.tif 000012
【図１１】
2021536161.tif 000013
【図１２】
2021536161.tif 000014
【図１３】
2021536161.tif 000015
【図１４】
2021536161.tif 000016
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
信号伝送方法であって、
ネットワーク装置が、第１指示信号を端末機器に送信することを含み、前記第１指示信号が、端末機器が前記第１指示信号に関連しているサーチスペースでダウンリンク制御チャネルの監視を行うか否かを確定するためのものである、信号伝送方法。
【請求項２】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項１に記載の方法。
【請求項３】
前記第１指示信号とサーチスペースとの関連関係は、時間領域で周期的に現れ、
前記第１指示信号に関連しているサーチスペースは、共通サーチスペース及び／又はＵＥ専用サーチスペースを含むことを特徴とする
請求項１又は２に記載の方法。
【請求項４】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項３に記載の方法。
【請求項５】
信号伝送方法であって、
端末機器が第１指示信号とサーチスペースとの関連関係を確定することと、
前記端末機器がネットワーク装置から送信された第１指示信号を受信し、前記第１指示信号に基づき、前記第１指示信号に関連しているサーチスペースでダウンリンク制御チャネルの監視を行うか否かを確定することとを含む、信号伝送方法。
【請求項６】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項５に記載の方法。
【請求項７】
前記第１指示信号とサーチスペースとの関連関係は、時間領域で周期的に現れ、
前記第１指示信号に関連しているサーチスペースは、共通サーチスペース及び／又はＵＥ専用サーチスペースを含むことを特徴とする
請求項５又は６に記載の方法。
【請求項８】
時間領域における前記第１指示信号とサーチスペースとの関連関係の開始時間は、前記ネットワーク装置によって設定され、又は、
時間領域における前記第１指示信号とサーチスペースとの関連関係の開始時間は、予め定義されることを特徴とする
請求項７に記載の方法。
【請求項９】
信号伝送装置であって、
第１指示信号を端末機器に送信するように構成され、前記第１指示信号が、端末機器が前記第１指示信号に関連しているサーチスペースでダウンリンク制御チャネルの監視を行うか否かを確定するためのものである第１送信ユニットを備える、信号伝送装置。
【請求項１０】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項９に記載の装置。
【請求項１１】
前記第１指示信号とサーチスペースとの関連関係は、前記ネットワーク装置によって設定され、又は、
前記第１指示信号とサーチスペースとの関連関係は、予め定義されることを特徴とする請求項９又は１０に記載の装置。
【請求項１２】
前記第１指示信号とサーチスペースとの関連関係が前記ネットワーク装置によって設定されるとした場合、前記装置はさらに、
第１構成情報を前記端末機器に送信するように構成される第２送信ユニットであって、前記第１構成情報が前記第１指示信号とサーチスペースとの関連関係を含む、第２送信ユニットを備えることを特徴とする
請求項１１に記載の装置。
【請求項１３】
前記第２送信ユニットは、ＲＲＣ専用シグナリング又はシステムブロードキャストメッセージによって前記第１構成情報を前記端末機器に送信するように構成されることを特徴とする
請求項１２に記載の装置。
【請求項１４】
信号伝送装置であって、
第１指示信号とサーチスペースとの関連関係を確定するように構成される確定ユニットと、
ネットワーク装置から送信された第１指示信号を受信し、前記第１指示信号に基づき、前記第１指示信号に関連しているサーチスペースでダウンリンク制御チャネルの監視を行うか否かを確定するように構成される第１受信ユニットとを備える、信号伝送装置。
【請求項１５】
前記第１指示信号とサーチスペースとの関連関係は、
前記第１指示信号と、１つのサーチスペース又は異なるサーチスペースセット内のサーチスペースに属する複数のサーチスペースとの関連関係、
前記第１指示信号とサーチスペースセット内の１つ又は複数のサーチスペース周期との関連関係、
前記第１指示信号と、サーチスペースセット内の１つサーチスペース周期においてサーチスペースが所在するスロットとの関連関係、
前記第１指示信号と、サーチスペースセット内の１つのサーチスペース周期においてサーチスペースが所在するスロットにおけるダウンリンク制御チャネル監視シンボルとの関連関係、
前記第１指示信号と第１時間窓内のサーチスペースとの関連関係であって、前記第１時間窓が第１時間長を有し、前記第１時間窓の時間領域範囲が、前記第１指示信号の所在する時間及び前記第１時間長に基づいて確定される、関連関係、
のうちの少なくとも１つを含むことを特徴とする
請求項１４に記載の装置。
【請求項１６】
前記第１指示信号とサーチスペースとの関連関係は、前記ネットワーク装置によって設定され、又は、
前記第１指示信号とサーチスペースとの関連関係は、予め定義されることを特徴とする
請求項１４又は１５に記載の装置。
【請求項１７】
前記第１指示信号とサーチスペースとの関連関係が前記ネットワーク装置によって設定されるとした場合、前記装置はさらに、
前記ネットワーク装置から送信された第１構成情報を受信するように構成される第２受信ユニットであって、前記第１構成情報が、前記第１指示信号とサーチスペースとの関連関係を含む、第２受信ユニットを備えることを特徴とする
請求項１６に記載の装置。
【請求項１８】
前記第２受信ユニットは、前記ネットワーク装置がＲＲＣ専用シグナリング又はシステムブロードキャストメッセージによって送信した前記第１構成情報を受信するように構成されることを特徴とする
請求項１７に記載の装置。
【国際調査報告】
2021536161.tif 000017
2021536161.tif 000018
2021536161.tif 000019
2021536161.tif 000020